(57)【要約】      （修正有）【課題】キャリアアグリゲーションシステムにおいてシステムのスループットを向上させ、スケジューリングの複雑度を低下させる。【解決手段】端末で測定したセクターのチャネル品質パラメータから、第２チャネル品質パラメータを選択し、ただし、上記第２チャネル品質パラメータは、第１類チャネル品質パラメータのうち、所定のセカンダリコンポーネントキャリア添加ルールを満たすチャネル品質パラメータの中で最大であり、上記第１類チャネル品質パラメータは、第１チャネル品質パラメータに対応する第１基地局の、上記端末のプライマリコンポーネントキャリア以外の他のキャリア上の全セクターにおけるチャネル品質パラメータであり、上記第１チャネル品質パラメータは、上記端末で測定した全チャネル品質パラメータのうち最大であり、上記第２チャネル品質パラメータに対応する第２キャリアを上記端末のセカンダリコンポーネントキャリアに配置する。【選択図】図３
2011239391.tif 000002
【特許請求の範囲】
【請求項１】
キャリアアグリゲーションシステムにおいて端末のコンポーネントキャリアを配置する方法であって、
上記端末で測定した、全基地局の各キャリア上の各セクターにおけるチャネル品質パラメータを取得することと、
上記端末で測定したチャネル品質パラメータから第２チャネル品質パラメータを選択することと、ただし、上記第２チャネル品質パラメータは、第１類チャネル品質パラメータのうち、所定のセカンダリコンポーネントキャリア添加ルールを満たすチャネル品質パラメータの中で最大のパラメータであり、上記第１類チャネル品質パラメータは、第１チャネル品質パラメータに対応する第１基地局の、上記端末のプライマリコンポーネントキャリア以外の他のキャリア上の全セクターにおけるチャネル品質パラメータであり、上記第１チャネル品質パラメータは、上記端末で測定した全チャネル品質パラメータのうち最大のパラメータであり、
上記第２チャネル品質パラメータに対応する第２キャリアを上記端末のセカンダリコンポーネントキャリアに配置することと、
を含むことを特徴とする方法。
【請求項２】
上記端末で測定したチャネル品質パラメータから第２チャネル品質パラメータを選択することは、
上記第１基地局の上記端末のプライマリコンポーネントキャリア以外の他のキャリア上の全セクターにおけるチャネル品質パラメータから、所定のセカンダリコンポーネントキャリア添加ルールを満たすチャネル品質パラメータ候補集合を選択することと、
上記チャネル品質パラメータ候補集合から、チャネル品質パラメータが最大である第２チャネル品質パラメータを選択することと、
を含むことを特徴とする請求項１に記載の方法。
【請求項３】
上記端末で測定したチャネル品質パラメータから第２チャネル品質パラメータを選択することは、
全基地局の上記プライマリコンポーネントキャリア以外の他のキャリア上の全セクターにおけるチャネル品質パラメータから、所定のセカンダリコンポーネントキャリア添加ルールを満たすチャネル品質パラメータ候補集合を選択することと、
上記チャネル品質パラメータ候補集合の中、最大のチャネル品質パラメータが上記第１基地局に対応するか否かを判断し、対応すると判断した場合、上記チャネル品質パラメータ候補集合の中の最大のチャネル品質パラメータを上記第２チャネル品質パラメータとし、対応すると判断しなかった場合、フローが終了することと、
を含むことを特徴とする請求項１に記載の方法。
【請求項４】
上記第２チャネル品質パラメータを選択した後、更に、上記第２チャネル品質パラメータが、全基地局の上記プライマリコンポーネントキャリア以外の他のキャリア上の全セクターにおけるチャネル品質パラメータのうち最大のパラメータであるかを判断し、最大のパラメータであると判断した場合、上記の、上記第２チャネル品質パラメータに対応する第２キャリアを上記端末のセカンダリコンポーネントキャリアに配置するステップに進み、最大のパラメータであると判断しなかった場合、フローが終了することを特徴とする請求項１に記載の方法。
【請求項５】
さらに、
上記端末で測定した全チャネル品質パラメータから、最大の第１チャネル品質パラメータを選択することと、
上記第１チャネル品質パラメータに対応する第１キャリアを、上記端末のプライマリコンポーネントキャリアに配置することと、
を含むことを特徴とする請求項１に記載の方法。
【請求項６】
さらに、
第２チャネル品質パラメータに対応する第２セクターとセカンダリコンポーネントキャリアとの対応関係を記録することと、
上記第２セクターが所定のセカンダリコンポーネントキャリア削除ルールを満たす場合、上記第２セクターに対応する上記セカンダリコンポーネントキャリアを削除することと、
を含むことを特徴とする請求項１ないし５のいずれか一項に記載の方法。
【請求項７】
上記セカンダリコンポーネントキャリア添加ルールは、
該チャネル品質パラメータに対応するセクターの信号対干渉雑音比が所定の第１閾値より大きいことと、
又は、該チャネル品質パラメータと上記第１チャネル品質パラメータとの差が所定の第２閾値より小さいことと、
又は、該チャネル品質パラメータに対応するセクターの信号対干渉雑音比が所定の第１閾値より大きく、且つ、該チャネル品質パラメータと上記第１チャネル品質パラメータとの差が所定の第２閾値より小さいことと、を含み、
上記セカンダリコンポーネントキャリア削除ルールは、
上記第２セクターの信号対干渉雑音比が所定の第３閾値より小さいことと、
又は、上記第２セクターのチャネル品質パラメータと上記第１チャネル品質パラメータとの差が所定の第４閾値より大きいことと、
又は、上記第２セクターの信号対干渉雑音比が所定の第３閾値より小さく、且つ、上記第２セクターのチャネル品質パラメータと上記第１チャネル品質パラメータとの差が所定の第４閾値より大きいことと、
を含むことを特徴とする請求項６に記載の方法。
【請求項８】
上記チャネル品質パラメータは、参考信号受信電力又は参考信号受信品質パラメータであることを特徴とする請求項１に記載の方法。
【請求項９】
キャリアアグリゲーションシステムにおいて端末のコンポーネントキャリアを配置する装置であって、
上記端末で測定した、全基地局の各キャリア上の各セクターにおけるチャネル品質パラメータを取得するためのパラメータ取得手段と、
上記端末で測定したチャネル品質パラメータから第２チャネル品質パラメータを選択するための選択手段と、ただし、上記第２チャネル品質パラメータは、第１類チャネル品質パラメータのうち、所定のセカンダリコンポーネントキャリア添加ルールを満たすチャネル品質パラメータの中で最大のパラメータであり、上記第１類チャネル品質パラメータは、第１チャネル品質パラメータに対応する第１基地局の、上記端末のプライマリコンポーネントキャリア以外の他のキャリア上の全セクターにおけるチャネル品質パラメータであり、上記第１チャネル品質パラメータは、上記端末で測定した全チャネル品質パラメータのうち最大のパラメータであり、
上記第２チャネル品質パラメータに対応する第２キャリアを上記端末のセカンダリコンポーネントキャリアに配置するためのセカンダリコンポーネントキャリア添加手段と、
を含むことを特徴とする装置。
【請求項１０】
上記選択手段は、更に、
上記第１基地局の上記端末のプライマリコンポーネントキャリア以外の他のキャリア上の全セクターにおけるチャネル品質パラメータから、所定のセカンダリコンポーネントキャリア添加ルールを満たすチャネル品質パラメータ候補集合を選択し、
上記チャネル品質パラメータ候補集合から、チャネル品質パラメータが最大である第２チャネル品質パラメータを選択することを特徴とする請求項９に記載の装置。
【請求項１１】
上記選択手段は、更に、
全基地局の上記プライマリコンポーネントキャリア以外の他のキャリア上の全セクターにおけるチャネル品質パラメータから、所定のセカンダリコンポーネントキャリア添加ルールを満たすチャネル品質パラメータ候補集合を選択し、
上記チャネル品質パラメータ候補集合の中、最大のチャネル品質パラメータが上記第１基地局に対応するか否かを判断し、対応すると判断した場合、上記チャネル品質パラメータ候補集合の中の最大のチャネル品質パラメータを上記第２チャネル品質パラメータとすることを特徴とする請求項９に記載の装置。
【請求項１２】
判断手段を更に含み、
上記選択手段は、更に、第２チャネル品質パラメータを選択した後、上記判断手段を触発し、
上記判断手段は、更に、上記第２チャネル品質パラメータが、全基地局の上記プライマリコンポーネントキャリア以外の他のキャリア上の全セクターにおけるチャネル品質パラーメのうち最大のパラメータであるかを判断し、最大のパラメータであると判断した場合、上記セカンダリコンポーネントキャリア添加手段を触発して、上記第２チャネル品質パラメータに対応する第２キャリアを上記端末のセカンダリコンポーネントキャリアに配置し、最大のパラメータであると判断しなかった場合、上記セカンダリコンポーネントキャリア添加手段を触発しないことを特徴とする請求項９に記載の装置。
【請求項１３】
上記端末で測定した全チャネル品質パラメータから最大の第１チャネル品質パラメータを選択し、上記第１チャネル品質パラメータに対応する第１キャリアを上記端末のプライマリコンポーネントキャリアに配置するためのプライマリコンポーネントキャリア配置手段を更に含むことを特徴とする請求項９に記載の装置。
【請求項１４】
第２チャネル品質パラメータに対応する第２セクターとセカンダリコンポーネントキャリアとの対応関係を記録するための記録手段と、
上記第２セクターが所定のセカンダリコンポーネントキャリア削除ルールを満たす場合、上記第２セクターに対応する上記セカンダリコンポーネントキャリアを削除するためのセカンダリコンポーネントキャリア削除手段とを更に含むことを特徴とする請求項９ないし１３のいずれか一項に記載の装置。
【請求項１５】
上記セカンダリコンポーネントキャリア添加ルールは、
該チャネル品質パラメータに対応するセクターの信号対干渉雑音比が所定の第１閾値より大きいことと、
又は、該チャネル品質パラメータと上記第１チャネル品質パラメータとの差が所定の第２閾値より小さいことと、
又は、該チャネル品質パラメータに対応するセクターの信号対干渉雑音比が所定の第１閾値より大きく、且つ、該チャネル品質パラメータと上記第１チャネル品質パラメータとの差が所定の第２閾値より小さいことと、を含み、
上記セカンダリコンポーネントキャリア削除ルールは、
上記第２セクターの信号対干渉雑音比が所定の第３閾値より小さいことと、
又は、上記第２セクターのチャネル品質パラメータと上記第１チャネル品質パラメータとの差が所定の第４閾値より大きいことと、
又は、上記第２セクターの信号対干渉雑音比が所定の第３閾値より小さく、且つ、上記第２セクターのチャネル品質パラメータと上記第１チャネル品質パラメータとの差が所定の第４閾値より大きいことと、
を含むことを特徴とする請求項１４に記載の装置。
【請求項１６】
上記チャネル品質パラメータは、参考信号受信電力又は参考信号受信品質パラメータであることを特徴とする請求項９に記載の装置。
【発明の詳細な説明】
【技術分野】
【０００１】
本発明は、キャリアアグリゲーション技術分野に関し、詳しくキャリアアグリゲーションシステムにおいて端末のコンポーネントキャリアＣＣ（Component  Carrier）を配置する方法及び基地局に関する。
【背景技術】
【０００２】
３ＧＰＰ（3rd  Generation  Partnership  Project）は、移動通信分野の重要な組織として、３Ｇ（The  Third  Generation）の標準化を大きく推進し、ＷＣＤＭＡ（Wide  Code  Division  Multiple  Access）、ＨＳＤＰＡ（High  Speed  Downlink  Packet  Access）、ＨＳＵＰＡ（High  Speed  Uplink  Packet  Access）などを含む一連の通信システム規範を制定している。ブロードバンドアクセス技術の挑戦に対応し、日増しに成長する新型サービスの要求を満足するために、３ＧＰＰは２００４年末、３Ｇ  ＬＴＥ（Long  Term  Evolution）技術の標準化を起動し、更に周波数スペクトル効率を向上させ、セル境界ユーザの性能を改善し、システム遅延を低下させ、高速移動ユーザ向けにより高速のアクセスサービスを提供するなどを図る。３ＧＰＰは２００８年６月、ＬＴＥ‐Ａの技術要求報告を完成し、ＬＴＥ‐Ａの最小要求、即ち、下り方向ピーク速度：１Ｇｂｐｓ、上り方向ピーク速度：５００Ｍｂｐｓ、上り方向ピーク周波数スペクトル利用率：１５Ｍｂｐｓ／ＨＺ、下り方向ピーク周波数スペクトル利用率：３０Ｍｂｐｓ／ＨＺを提起した。これらのパラメータは、ＩＴＵの最小技術要求指標より遥かに高く、明らかに優勢に立つ。
【０００３】
ＬＴＥ‐Ａでは、連続的なキャリアアグリゲーション及び帯域内、帯域間の非連続的なキャリアアグリゲーションをサポートし、最大アグリゲート可能な帯域幅が１００ＭＨｚに達することができる。ＬＴＥ‐Ａでは、異なる周波数レンジに分布する複数のコンポーネント周波数資源（Component  Frequency  Resource）を、ＬＴＥ‐Ａに使用可能なラージシステム帯域幅資源にアグリゲートする。
【０００４】
ＬＴＥ‐Ａによる新周波数スペクトルへの要求を考慮し、通信業者は、後方互換性を考慮すると同時に、必ず新しい周波数レンジとラジオ周波数リンクの導入も考慮する。新しいラジオ周波数リンクと既存のラジオ周波数リンクとは互いに独立しているため、通信業者はネットワーク配置時により大きい柔軟性を有する。図１において、白い楕円形は既存のセクターを示し、そのコンポーネントキャリアがＣＣ１レイヤ（layer）に属すると仮定し、斜線が描かれた楕円形は、新しく導入されるセクターを示し、そのコンポーネントキャリアがＣＣ２レイヤに属すると仮定する。導入される新セクターの周波数が既存セクターとは異なる場合、通信業者は、環境上の要求に応じて対応するアンテナを回転させ、元々あるネットワークのセクターの境界に対して補償を行うことによって、より優れたスループットとネットワークカバレッジを取得する。キャリアアグリゲーションシステムにおいて、複数のコンポーネントキャリア間に端末に対してジョイントスケーリングの方式を採用すると、通常、理想的なシステム性能を取得できる。
【発明の概要】
【発明が解決しようとする課題】
【０００５】
本発明の実施例によって解決しようとする技術課題は、キャリアアグリゲーションシステムにおいて端末のコンポーネントキャリアを配置する方法及び装置を提供して、端末のコンポーネントキャリアを配置し、キャリアアグリゲーションシステムのスループットを向上させることである。
【課題を解決するための手段】
【０００６】
上記技術課題を解決するために、本発明の実施例は、下記の技術案を提供する。
【０００７】
キャリアアグリゲーションシステムにおいて端末のコンポーネントキャリアを配置する方法であって、上記端末で測定した、全基地局の各キャリア上の各セクターにおけるチャネル品質パラメータを取得することと、上記端末で測定したチャネル品質パラメータから第２チャネル品質パラメータを選択することと、ただし、上記第２チャネル品質パラメータは、第１類チャネル品質パラメータのうち、所定のセカンダリコンポーネントキャリア添加ルールを満たすチャネル品質パラメータの中で最大のパラメータであり、上記第１類チャネル品質パラメータは、第１チャネル品質パラメータに対応する第１基地局の、上記端末のプライマリコンポーネントキャリア以外の他のキャリア上の全セクターにおけるチャネル品質パラメータであり、上記第１チャネル品質パラメータは、上記端末で測定した全チャネル品質パラメータのうち最大のパラメータであり、上記第２チャネル品質パラメータに対応する第２キャリアを上記端末のセカンダリコンポーネントキャリアに配置することと、を含む。
【０００８】
好ましく、上記方法において、上記端末で測定したチャネル品質パラメータから第２チャネル品質パラメータを選択することは、上記第１基地局の上記端末のプライマリコンポーネントキャリア以外の他のキャリア上の全セクターにおけるチャネル品質パラメータから、所定のセカンダリコンポーネントキャリア添加ルールを満たすチャネル品質パラメータ候補集合を選択することと、上記チャネル品質パラメータ候補集合から、チャネル品質パラメータが最大である第２チャネル品質パラメータを選択することと、を含む。
【０００９】
好ましく、上記方法において、上記端末で測定したチャネル品質パラメータから第２チャネル品質パラメータを選択することは、全基地局の上記プライマリコンポーネントキャリア以外の他のキャリア上の全セクターにおけるチャネル品質パラメータから、所定のセカンダリコンポーネントキャリア添加ルールを満たすチャネル品質パラメータ候補集合を選択することと、上記チャネル品質パラメータ候補集合の中、最大のチャネル品質パラメータが上記第１基地局に対応するか否かを判断し、対応すると判断した場合、上記チャネル品質パラメータ候補集合の中の最大のチャネル品質パラメータを上記第２チャネル品質パラメータとし、対応すると判断しなかった場合、フローが終了することと、を含む。
【００１０】
好ましく、上記方法において、上記第２チャネル品質パラメータを選択した後、更に、上記第２チャネル品質パラメータが、全基地局の上記プライマリコンポーネントキャリア以外の他のキャリア上の全セクターにおけるチャネル品質パラメータのうち最大のパラメータであるかを判断し、最大のパラメータであると判断した場合、上記の、上記第２チャネル品質パラメータに対応する第２キャリアを上記端末のセカンダリコンポーネントキャリアに配置するステップに進み、最大のパラメータであると判断しなかった場合、フローが終了する。
【００１１】
好ましく、上記方法において、さらに、上記端末で測定した全チャネル品質パラメータから最大の第１チャネル品質パラメータを選択することと、上記第１チャネル品質パラメータに対応する第１キャリアを、上記端末のプライマリコンポーネントキャリアに配置することと、を含む。
【００１２】
好ましく、上記方法において、さらに、第２チャネル品質パラメータに対応する第２セクターとセカンダリコンポーネントキャリアとの対応関係を記録することと、上記第２セクターが所定のセカンダリコンポーネントキャリア削除ルールを満たす場合、上記第２セクターに対応する上記セカンダリコンポーネントキャリアを削除することと、を含む。
【００１３】
好ましく、上記方法において、上記セカンダリコンポーネントキャリア添加ルールは、該チャネル品質パラメータに対応するセクターの信号対干渉雑音比が所定の第１閾値より大きいことと、又は、該チャネル品質パラメータと上記第１チャネル品質パラメータとの差が所定の第２閾値より小さいことと、又は、該チャネル品質パラメータに対応するセクターの信号対干渉雑音比が所定の第１閾値より大きく、且つ、該チャネル品質パラメータと上記第１チャネル品質パラメータとの差が所定の第２閾値より小さいことと、を含み、上記セカンダリコンポーネントキャリア削除ルールは、上記第２セクターの信号対干渉雑音比が所定の第３閾値より小さいことと、又は、上記第２セクターのチャネル品質パラメータと上記第１チャネル品質パラメータとの差が所定の第４閾値より大きいことと、又は、上記第２セクターの信号対干渉雑音比が所定の第３閾値より小さく、且つ、上記第２セクターのチャネル品質パラメータと上記第１チャネル品質パラメータとの差が所定の第４閾値より大きいことと、を含む。
【００１４】
本発明の実施例は、キャリアアグリゲーションシステムにおいて端末のコンポーネントキャリアを配置する装置を更に提供し、該装置は、上記端末で測定した、全基地局の各キャリア上の各セクターにおけるチャネル品質パラメータを取得するためのパラメータ取得手段と、上記端末で測定したチャネル品質パラメータから第２チャネル品質パラメータを選択するための選択手段と、ただし、上記第２チャネル品質パラメータは、第１類チャネル品質パラメータのうち、所定のセカンダリコンポーネントキャリア添加ルールを満たすチャネル品質パラメータの中で最大のパラメータであり、上記第１類チャネル品質パラメータは、第１チャネル品質パラメータに対応する第１基地局の、上記端末のプライマリコンポーネントキャリア以外の他のキャリア上の全セクターにおけるチャネル品質パラメータであり、上記第１チャネル品質パラメータは、上記端末で測定した全チャネル品質パラメータのうち最大のパラメータであり、上記第２チャネル品質パラメータに対応する第２キャリアを上記端末のセカンダリコンポーネントキャリアに配置するためのセカンダリコンポーネントキャリア添加手段と、を含む。
【００１５】
好ましく、上記装置において、上記選択手段は、更に、上記第１基地局の上記端末のプライマリコンポーネントキャリア以外の他のキャリア上の全セクターにおけるチャネル品質パラメータから、所定のセカンダリコンポーネントキャリア添加ルールを満たすチャネル品質パラメータ候補集合を選択し、上記チャネル品質パラメータ候補集合から、チャネル品質パラメータが最大である第２チャネル品質パラメータを選択する。
【００１６】
好ましく、上記装置において、上記選択手段は、更に、全基地局の上記プライマリコンポーネントキャリア以外の他のキャリア上の全セクターにおけるチャネル品質パラメータから、所定のセカンダリコンポーネントキャリア添加ルールを満たすチャネル品質パラメータ候補集合を選択し、上記チャネル品質パラメータ候補集合の中、最大のチャネル品質パラメータが上記第１基地局に対応するか否かを判断し、対応すると判断した場合、上記チャネル品質パラメータ候補集合の中の最大のチャネル品質パラメータを上記第２チャネル品質パラメータとする。
【００１７】
好ましく、上記装置において、判断手段を更に含み、上記選択手段は、更に、第２チャネル品質パラメータを選択した後、上記判断手段を触発し、上記判断手段は、更に、上記第２チャネル品質パラメータが、全基地局の上記プライマリコンポーネントキャリア以外の他のキャリア上の全セクターにおけるチャネル品質パラーメのうち最大のパラメータであるかを判断し、最大のパラメータであると判断した場合、上記セカンダリコンポーネントキャリア添加手段を触発して、上記第２チャネル品質パラメータに対応する第２キャリアを上記端末のセカンダリコンポーネントキャリアに配置し、最大のパラメータであると判断しなかった場合、上記セカンダリコンポーネントキャリア添加手段を触発しない。
【００１８】
好ましく、上記装置において、上記端末で測定した全チャネル品質パラメータから最大の第１チャネル品質パラメータを選択し、上記第１チャネル品質パラメータに対応する第１キャリアを上記端末のプライマリコンポーネントキャリアに配置するためのプライマリコンポーネントキャリア配置手段を更に含む。
【００１９】
好ましく、上記装置において、第２チャネル品質パラメータに対応する第２セクターとセカンダリコンポーネントキャリアとの対応関係を記録するための記録手段と、上記第２セクターが所定のセカンダリコンポーネントキャリア削除ルールを満たす場合、上記第２セクターに対応する上記セカンダリコンポーネントキャリアを削除するためのセカンダリコンポーネントキャリア削除手段とを更に含む。
【００２０】
好ましく、上記装置において、上記セカンダリコンポーネントキャリア添加ルールは、該チャネル品質パラメータに対応するセクターの信号対干渉雑音比が所定の第１閾値より大きいことと、又は、該チャネル品質パラメータと上記第１チャネル品質パラメータとの差が所定の第２閾値より小さいことと、又は、該チャネル品質パラメータに対応するセクターの信号対干渉雑音比が所定の第１閾値より大きく、且つ、該チャネル品質パラメータと上記第１チャネル品質パラメータとの差が所定の第２閾値より小さいことと、を含み、上記セカンダリコンポーネントキャリア削除ルールは、上記第２セクターの信号対干渉雑音比が所定の第３閾値より小さいことと、又は、上記第２セクターのチャネル品質パラメータと上記第１チャネル品質パラメータとの差が所定の第４閾値より大きいことと、又は、上記第２セクターの信号対干渉雑音比が所定の第３閾値より小さく、且つ、上記第２セクターのチャネル品質パラメータと上記第１チャネル品質パラメータとの差が所定の第４閾値より大きいことと、を含む。
【発明の効果】
【００２１】
上記記載から分かるように、本発明が提供するキャリアアグリゲーションシステムにおいて端末のコンポーネントキャリアを配置する方法及び装置は、端末にセカンダリコンポーネントキャリアを配置するときに、プライマリコンポーネントキャリアと同一基地局に属するキャリアを、該端末のセカンダリコンポーネントキャリアとして選択する。また、本発明の実施例は、端末から報告されたセクターのチャネル品質パラメータに基づいて、所定のルールを満たさないセカンダリコンポーネントキャリアをタイムリーに削除することによって、ユーザに適切なキャリアを使用させることができ、システムのスループット向上、スケジューリング複雑度低減という有益な効果を達することができる。
【図面の簡単な説明】
【００２２】
【図１】図１は、従来技術におけるキャリアアグリゲーションシステム応用シーンを示す。
【図２】図２は、図１に示すシステムのＣＣ１の資源使用率のシミュレーション結果を示す。
【図３】図３は、本発明の実施例による端末のコンポーネントキャリアを配置する方法のフローを示す。
【図４】図４は、図１のキャリアアグリゲーションシステムの分解図を示す。
【図５】図５は、本発明の実施例において端末のコンポーネントキャリアを配置する一実施形態のフローを示す。
【図６】図６は、本発明の実施例において端末のコンポーネントキャリアを配置する別の実施形態のフローを示す。
【図７】図７は、本発明の実施例による端末のコンポーネントキャリアを配置する装置の構造図を示す。
【図８】図８は、本発明の実施例による端末のコンポーネントキャリアを配置する方法採用前後のキャリアアグリゲーションシステムスループットのシミュレーション結果を示す。
【発明を実施するための形態】
【００２３】
図１に示すキャリアアグリゲーションシステムのＣＣ１とＣＣ２とのジョイントスケジューリングにおける無線資源使用率をシミュレーションした結果、図２に示すＣＣ１の無線資源使用率の累積分布関数（ＣＤＦ）曲線図を得る。図２から分かるように、約３５％の端末（ＵＥ）がＣＣ１のみを利用して通信し、約３５％の端末がＣＣ２のみを利用して通信し、約３０％の端末がＣＣ１とＣＣ２とを利用して通信する。約７０％の端末が１つのコンポーネントキャリアのみを利用して通信することは分かる。このような場合では、これらの端末に対して１つのコンポーネントキャリアのみにおいて独立スケジューリングを行なえばよく、これらの端末が１つのキャリアに接続すればよく、２つのキャリアに接続する必要がない。キャリアアグリゲーションシステムにおいて単一キャリアの独立スケジューリングとキャリア間のジョイントスケジューリングの両方を採用する場合、基地局において端末のコンポーネントキャリアに対して適切な配置を行なう必要があり、それにより、適切なキャリアにスケジューリングされることができ、キャリアアグリゲーションシステムが理想的なシステム性能を取得可能になる。
【００２４】
本発明は、キャリアアグリゲーションシステムにおいて端末のコンポーネントキャリアを配置する方法を提供し、端末にコンポーネントキャリアを配置することによって、端末が適切なキャリアにスケジューリングされることができ、キャリアアグリゲーションシステムのスループットがアップされる。３ＧＰＰの関連標準に基づき、端末のコンポーネントキャリアは、プライマリコンポーネントキャリアＰＣＣ（Primary  Component  Carrier）とセカンダリコンポーネントキャリアＳＣＣ（Secondary  Component  Carrier）とを含む。本発明は、下記の具体的な実施例を通して端末のコンポーネントキャリアを配置する。
【００２５】
図３に示すように、本発明の実施例による端末のコンポーネントキャリアを配置する方法は、キャリアアグリゲーションシステムのネットワーク側に応用され、具体的に下記ステップ３１〜３３を含む。
【００２６】
ステップ３１において、ネットワーク側は、上記端末で測定した、全基地局の各キャリア上の各セクターにおけるチャネル品質パラメータを取得する。
【００２７】
キャリアアグリゲーションシステムにおいて、端末で測定したあるセクターのチャネル品質パラメータは、ある基地局のあるキャリア上におけるあるセクターに１対１に対応し、即ち、１つのチャネル品質パラメータは、１つの基地局、１つのキャリア、１つのセクターに一義的に対応する。図１を例とすると、図１に示すキャリアアグリゲーションシステムをキャリアと基地局に分解を行うと、図４に示す分解図を得る。図４は、基地局１〜３がそれぞれキャリアＣＣ１とＣＣ２にキャリアアグリゲーションを行うことを示し、各基地局が各キャリア上に３つのセクターを有し、上記チャネル品質パラメータは、端末で測定したそのうちのあるセクターのチャネル品質パラメータである。
【００２８】
ステップ３２において、上記端末で測定したチャネル品質パラメータから第２チャネル品質パラメータを選択する。ただし、上記第２チャネル品質パラメータは、第１類チャネル品質パラメータのうち、所定のセカンダリコンポーネントキャリア添加ルールを満たすチャネル品質パラメータの中で最大のパラメータであり、上記第１類チャネル品質パラメータは、上記端末で測定した第１チャネル品質パラメータに対応する第１基地局の、上記端末のプライマリコンポーネントキャリア以外の他のキャリア上の全セクターにおけるチャネル品質パラメータであり、上記第１チャネル品質パラメータは、上記端末で測定した全チャネル品質パラメータのうち最大のパラメータである。
【００２９】
ここで、セカンダリコンポーネントキャリア添加ルールは、必要に応じて自ら設定可能である。例えば、次のように設定することができる。
【００３０】
（１）該チャネル品質パラメータに対応するセクターの信号対干渉雑音比（ＳＩＮＲ）が所定の第１閾値より大きい。このとき、あるチャネル品質パラメータに対応するセクターの信号対干渉雑音比（ＳＩＮＲ）が所定の第１閾値より大きいであれば、該チャネル品質パラメータは、上記セカンダリコンポーネントキャリア添加ルールを満たす。
【００３１】
（２）該チャネル品質パラメータと上記第１チャネル品質パラメータとの差が所定の第２閾値より小さい。このとき、あるチャネル品質パラメータと上記第１チャネル品質パラメータとの差が所定の第２閾値より小さいであれば、該チャネル品質パラメータは、上記セカンダリコンポーネントキャリア添加ルールを満たす。
【００３２】
（３）該チャネル品質パラメータに対応するセクターの信号対干渉雑音比が所定の第１閾値より大きく、且つ、該チャネル品質パラメータと上記第１チャネル品質パラメータとの差が所定の第２閾値より小さい。該（３）が上記（１）と（２）との和集合であり、あるチャネル品質パラメータが上記（１）と（２）とを同時に満足するのであれば、該チャネル品質パラメータは、上記セカンダリコンポーネントキャリア添加ルールを満たす。
【００３３】
もちろん、ユーザは、他のセカンダリコンポーネントキャリア添加ルールを自ら設定可能である。
【００３４】
ステップ３３において、上記第２チャネル品質パラメータに対応する第２キャリアを上記端末のセカンダリコンポーネントキャリアに配置する。
【００３５】
上記方法において、ステップ３２に先立って、上記端末で測定した全チャネル品質パラメータから最大の第１チャネル品質パラメータを選択し、上記第１チャネル品質パラメータに対応する第１キャリアを上記端末のプライマリコンポーネントキャリアに配置することを更に含む。
【００３６】
上記方法において、ステップ３３の後に、第２チャネル品質パラメータに対応する第２セクターとセカンダリコンポーネントキャリアとの対応関係を記録し、上記第２セクターが所定のセカンダリコンポーネントキャリア削除ルールを満たす場合、上記第２セクターに対応する上記セカンダリコンポーネントキャリアを削除することを更に含む。具体的に、上記セカンダリコンポーネントキャリア削除ルールは、上記第２セクターの信号対干渉雑音比が所定の第３閾値より小さいこと、又は、上記第２セクターのチャネル品質パラメータと上記第１チャネル品質パラメータとの差が所定の第４閾値より大きいこと、又は、上記第２セクターの信号対干渉雑音比が所定の第３閾値より小さく、且つ、上記第２セクターのチャネル品質パラメータと上記第１チャネル品質パラメータとの差が所定の第４閾値より大きいことなどを含む。
【００３７】
端末のプライマリコンポーネントキャリア、セカンダリコンポーネントキャリアを決定又は更新した後、ネットワーク側（例えば基地局）から該端末のプライマリコンポーネントキャリア、セカンダリコンポーネントキャリアの情報が該端末に通知され、端末は、該情報に基づいて対応するコンポーネントキャリアにアクセスする。ネットワーク側がスケジューリングする際に、端末のプライマリコンポーネントキャリア、セカンダリコンポーネントキャリアに基づいてスケジューリングする。
【００３８】
上記ステップを通じて、本発明の実施例において端末にセカンダリコンポーネントキャリアを配置するときに、プライマリコンポーネントキャリアと同一基地局に属するキャリアを、該端末のセカンダリコンポーネントキャリアとして選択する。また、本発明の実施例は、端末から報告されたセクターのチャネル品質パラメータに基づいて、所定のルールを満たさないセカンダリコンポーネントキャリアをタイムリーに削除することによって、スケジューリングが適切なコンポーネントキャリアに基づいて行えるようになり、キャリアアグリゲーションシステムのスループットを向上させることができる。
【００３９】
上記チャネル品質パラメータは、具体的に参考信号受信電力ＲＳＲＰ（Reference  Signal  Received  Power）であってもよく、参考信号受信品質ＲＳＲＱ（Reference  Signal  Received  Quality）パラメータであってもよい。
【００４０】
以下、ＲＳＲＰを例として、２つの具体的な実施形態を通じて上記方法を更に説明する。ＲＳＲＱについても、実施形態が同じである。
【００４１】
＜実施形態１＞
図５に示すように、本実施形態における端末のコンポーネントキャリアを配置する方法は、キャリアアグリゲーションシステムのネットワーク側に応用され、具体的に下記ステップ５１〜５８を含む。
【００４２】
ステップ５１において、端末は、各基地局の各キャリア上の各セクターにおけるＲＳＲＰを測定し、測定した全ＲＳＲＰをネットワーク側に報告する。
【００４３】
ステップ５２において、ネットワーク側は、端末から報告された全ＲＳＲＰから、数値が最大である第１ＲＳＲＰを選択し、上記第１ＲＳＲＰに対応する第１キャリアを上記端末のプライマリコンポーネントキャリアに配置する。
【００４４】
ステップ５３において、ネットワーク側は、上記端末で測定した全ＲＳＲＰから、全基地局の上記プライマリコンポーネントキャリア以外の他のキャリア上の全セクターにおけるＲＳＲＰを選択する。
【００４５】
ここで、上記ステップ５１において、ネットワーク側が端末から報告されたコンポーネントキャリアのＲＳＲＰを受信した後、上記端末に現在既にプライマリコンポーネントキャリアが配置されていると判断した場合、直接に上記ステップ５３に進む。
【００４６】
ステップ５４において、ステップ５３で選択したＲＳＲＰから、所定のセカンダリコンポーネントキャリア添加ルールを満たすＲＳＲＰ候補集合を選択する。
【００４７】
ここで、上記ステップ５４で得た上記ＲＳＲＰ候補集合がヌルである場合、ステップ５７に進んで本フローを終了させる。
【００４８】
ステップ５５において、上記ＲＳＲＰ候補集合から数値が最大のＲＳＲＰを選択する。
【００４９】
ステップ５６において、ステップ５５で選択したＲＳＲＰに対応する基地局が上記第１ＲＳＲＰに対応する第１基地局であるかを判断し、第１基地局であると判断した場合、ステップ５８に進み、第１基地局であると判断しなかった場合、ステップ５７に進む。
【００５０】
ステップ５７において、セカンダリコンポーネントキャリアを添加する動作を実行せず、フローを終了させる。
【００５１】
ステップ５８において、ステップ５５で選択したＲＳＲＰに対応する第２キャリアを上記端末のセカンダリコンポーネントキャリアに配置してフローを終了させる。
【００５２】
図４の応用シーンを例として本実施例の上記フローを説明する。図４には、２つのコンポーネントキャリアＣＣ１、ＣＣ２及び３つの基地局が含まれている。各楕円形が１つのセクターを示し、楕円形の中の数値が端末で測定したセクターのＲＳＲＰを示す。上記フローに準じて、ネットワーク側は端末から報告された各セクターのＲＳＲＰを取得する。全セクターのＲＳＲＰの中で、基地局１のセクター１に測定したＲＳＲＰが１１であり、数値が一番大きいので、本実施例では、該ＲＳＲＰに対応するキャリア（即ちＣＣ１）を端末のプライマリコンポーネントキャリアに配置する。それから、プライマリコンポーネントキャリア（ＣＣ１）以外の他のコンポーネントキャリア上の全セクターのＲＳＲＰから、所定のセカンダリコンポーネントキャリア添加ルールを満たすＲＳＲＰ候補集合を選択し、即ち、ＣＣ２上の全セクターのＲＳＲＰから上記ルールを満たすＲＳＲＰ候補集合を選択する。基地局２のセクター５と基地局３のセクター５のＲＳＲＰコンポーネントキャリアがいずれも上記ルールを満たすと仮定し、即ちいずれもＲＳＲＰ候補集合である。更に、ＲＳＲＰ最大のＲＳＲＰ、即ち基地局２のセクター５のＲＳＲＰをＲＳＲＰ候補集合から選択する。基地局２のセクター５のＲＳＲＰに対応する基地局が基地局２であり、第１ＲＳＲＰに対応する基地局が基地局１であり、両者が同一ではないので、コンポーネントキャリアを添加する動作は実行せず、直接にフローを終了させる。ここまで、ネットワーク側は、上記端末にプライマリコンポーネントキャリアを配置したが、セカンダリコンポーネントキャリアは配置されていなかった。
【００５３】
＜実施形態２＞
図６に示すように、本実施形態における端末のコンポーネントキャリアを配置する方法は、キャリアアグリゲーションシステムのネットワーク側に応用され、具体的に下記ステップ６１〜６６を含む。
【００５４】
ステップ６１において、端末は、各基地局の各キャリア上の各セクターにおけるＲＳＲＰを測定し、測定した全ＲＳＲＰをネットワーク側に報告する。
【００５５】
ステップ６２において、ネットワーク側は、端末から報告された全ＲＳＲＰから、数値が最大である第１ＲＳＲＰを選択し、上記第１ＲＳＲＰに対応する第１キャリアを上記端末のプライマリコンポーネントキャリアに配置する。
【００５６】
ステップ６３において、ネットワーク側は、端末から報告された全ＲＳＲＰから、第１基地局の上記端末のプライマリコンポーネントキャリアレイヤ以外の他のキャリア上の全セクターにおけるＲＳＲＰを選択する。ここで、第１基地局とは、上記第１ＲＳＲＰに対応する基地局を指す。
【００５７】
ここで、上記ステップ６１において、ネットワーク側が端末から報告された全ＲＳＲＰを受信した後、上記端末に現在既にプライマリコンポーネントキャリアが配置されていると判断した場合、直接に上記ステップ６３に進む。
【００５８】
ステップ６４において、上記端末で測定した、第１基地局の上記端末のプライマリコンポーネントキャリアレイヤ以外の他のキャリア上の全セクターにおけるＲＳＲＰから、所定のセカンダリコンポーネントキャリア添加ルールを満たすＲＳＲＰ候補集合を選択する。
【００５９】
ここで、上記ステップ６４において、得た上記ＲＳＲＰ候補集合がヌルである場合、直接に本フローを終了させる。
【００６０】
ステップ６５において、上記ＲＳＲＰ候補集合からＲＳＲＰが最大である第２ＲＳＲＰを選択する。
【００６１】
ステップ６６において、上記第２ＲＳＲＰに対応する第２キャリアを上記端末のセカンダリコンポーネントキャリアに配置してフローを終了させる。
【００６２】
同じく図４の応用シーンを例として本実施例の上記フローを説明する。実施形態１に類似しているように、上記フローに準じて、ネットワーク側は、同じく基地局１のセクター１に対応するキャリアを端末のプライマリコンポーネントキャリアとして選択し、即ちプライマリコンポーネントキャリアがＣＣ１であり、第１基地局が基地局１である。それから、基地局１のＣＣ１以外の他のキャリア上の全セクターにおけるＲＳＲＰから、所定のセカンダリコンポーネントキャリア添加ルールを満たすＲＳＲＰ候補集合を選択し、即ち、基地局１のＣＣ２の全セクターにおけるＲＳＲＰから、上記ルールを満たすＲＳＲＰ候補集合を選択する。基地局１のセクター５とセクター６に対応するＲＳＲＰがいずれも上記ルールを満たすと仮定し、即ちいずれもＲＳＲＰ候補集合である。更に、ＲＳＲＰ最大のＲＳＲＰ、即ち基地局１のセクター５のＲＳＲＰを上記第２ＲＳＲＰとしてＲＳＲＰ候補集合から選択する。それから、第２ＲＳＲＰに対応するキャリアＣＣ２を上記端末のセカンダリコンポーネントキャリアに配置する。ここまで、ネットワーク側は、上記端末にプライマリコンポーネントキャリアを配置し、セカンダリコンポーネントキャリアも配置した。
【００６３】
上記２つの実施形態は、本発明のセカンダリコンポーネントキャリア添加過程を説明した。同一の応用シーンに対して、上記２つの実施形態の最終的な結果は、異なるかもしれない。
【００６４】
実施形態２において、ステップ６５において第２ＲＳＲＰを選択した後、更に、上記第２ＲＳＲＰが、上記端末で測定した、全基地局の上記プライマリコンポーネントキャリア以外の他のキャリア上の全セクターにおけるＲＳＲＰの中の最大のものであるかを判断する。最大のものであると判断した場合、上記ステップ６６に進み、上記第２ＲＳＲＰに対応する第２キャリアを上記端末のセカンダリコンポーネントキャリアに配置する。最大のものであると判断しなかった場合、セカンダリコンポーネントキャリアを配置する動作は実行せず、直接にフローを終了させる。こうして、上記実施形態２の結果は、上記実施形態１とは異なる。
【００６５】
上記端末のコンポーネントキャリアを配置する方法に基づき、本発明の実施例は、キャリアアグリゲーションシステムのネットワーク側に設置される、端末のコンポーネントキャリアを配置する装置を更に提供する。図７に示すように、該装置は、具体的にパラメータ取得手段と、選択手段と、セカンダリコンポーネントキャリア添加手段とを含む。
【００６６】
パラメータ取得手段は、上記端末で測定した、全基地局の各キャリア上の各セクターにおけるチャネル品質パラメータを取得する。
【００６７】
選択手段は、上記端末で測定したチャネル品質パラメータから第２チャネル品質パラメータを選択する。ただし、上記第２チャネル品質パラメータは、第１類チャネル品質パラメータのうち、所定のセカンダリコンポーネントキャリア添加ルールを満たすチャネル品質パラメータの中で最大のパラメータであり、上記第１類チャネル品質パラメータは、第１チャネル品質パラメータに対応する基地局の、上記端末のプライマリコンポーネントキャリア以外の他のキャリア上の全セクターにおけるチャネル品質パラメータであり、上記第１チャネル品質パラメータは、上記端末で測定した全チャネル品質パラメータのうち最大のパラメータである。
【００６８】
セカンダリコンポーネントキャリア添加手段は、上記第２チャネル品質パラメータに対応する第２キャリアを上記端末のセカンダリコンポーネントキャリアに配置する。
【００６９】
好ましく、上記装置は、更に、上記端末で測定した全チャネル品質パラメータから最大の第１チャネル品質パラメータを選択し、上記第１チャネル品質パラメータに対応する第１キャリアを上記端末のプライマリコンポーネントキャリアに配置するためのプライマリコンポーネントキャリア配置手段と、第２チャネル品質パラメータに対応する第２セクターとセカンダリコンポーネントキャリアとの対応関係を記録するための記録手段と、上記第２セクターが所定のセカンダリコンポーネントキャリア削除ルールを満たす場合、上記第２セクターに対応する上記セカンダリコンポーネントキャリアを削除するためのセカンダリコンポーネントキャリア削除手段と、を含む。
【００７０】
上記実施形態１に対応して、上記選択手段は、更に、上記端末で測定した、全基地局の上記プライマリコンポーネントキャリア以外の他のキャリア上の全セクターにおけるチャネル品質パラメータから、所定のセカンダリコンポーネントキャリア添加ルールを満たすチャネル品質パラメータ候補集合を選択し、上記チャネル品質パラメータ候補集合の中、最大のチャネル品質パラメータが上記第１基地局に対応するか否かを判断し、対応すると判断した場合、上記チャネル品質パラメータ候補集合の中の最大のチャネル品質パラメータを上記第２チャネル品質パラメータとする。
【００７１】
上記実施形態２に対応して、上記選択手段は、更に、上記端末で測定した、上記第１基地局の上記端末のプライマリコンポーネントキャリア以外の他のキャリア上の全セクターにおけるチャネル品質パラメータから、所定のセカンダリコンポーネントキャリア添加ルールを満たすチャネル品質パラメータ候補集合を選択し、上記チャネル品質パラメータ候補集合から、チャネル品質パラメータが最大である第２チャネル品質パラメータを選択する。
【００７２】
一実施例として、上記装置は、判断手段を更に含む。
上記選択手段は、更に、第２チャネル品質パラメータを選択した後、上記判断手段を触発する。
上記判断手段は、更に、上記第２チャネル品質パラメータが、上記端末で測定した、全基地局の上記プライマリコンポーネントキャリア以外の他のキャリア上の全セクターにおけるチャネル品質パラーメのうち最大のパラメータであるかを判断し、最大のパラメータであると判断した場合、上記セカンダリコンポーネントキャリア添加手段を触発して、上記第２チャネル品質パラメータに対応する第２キャリアを上記端末のセカンダリコンポーネントキャリアに配置し、最大のパラメータであると判断しなかった場合、上記セカンダリコンポーネントキャリア添加手段を触発しない。
【００７３】
好ましい実施例として、上記装置において、上記セカンダリコンポーネントキャリア添加ルールは、該チャネル品質パラメータに対応するセクターの信号対干渉雑音比が所定の第１閾値より大きいことと、又は、該チャネル品質パラメータと上記第１チャネル品質パラメータとの差が所定の第２閾値より小さいことと、又は、該チャネル品質パラメータに対応するセクターの信号対干渉雑音比が所定の第１閾値より大きく、且つ、該チャネル品質パラメータと上記第１チャネル品質パラメータとの差が所定の第２閾値より小さいことと、を含み、上記セカンダリコンポーネントキャリア削除ルールは、上記第２セクターの信号対干渉雑音比が所定の第３閾値より小さいことと、又は、上記第２セクターのチャネル品質パラメータと上記第１チャネル品質パラメータとの差が所定の第４閾値より大きいことと、又は、上記第２セクターの信号対干渉雑音比が所定の第３閾値より小さく、且つ、上記第２セクターのチャネル品質パラメータと上記第１チャネル品質パラメータとの差が所定の第４閾値より大きいことと、を含む。
【００７４】
最後、本実施例による上記方法採用前後のキャリアアグリゲーションシステムのスループットをシミュレーションすることによって、本発明の実施例の有益な効果を説明する。
【００７５】
図８を参照すると、曲線３は、本実施例による上記方法を採用しない場合のキャリアアグリゲーションシステムのスループットの経験累積分布関数（empirical  CDF）の曲線図であり、曲線１、２は、それぞれ本実施例による上記実施形態１、２採用した場合のキャリアアグリゲーションシステムのスループットの経験累積分布関数の曲線図であり、曲線１と２とは重なるに近い。下記テーブル１は、本実施例による上記方法採用前後のキャリアアグリゲーションシステムの平均スループットの比較を示す。
【表１】
2011239391.tif 000003
【００７６】
上記テーブルから分かるように、本実施例による上記方法を採用した場合、キャリアアグリゲーションシステムの平均スループットが約２１％向上した。よって、本発明の実施例によれば、キャリアアグリゲーションシステムのスループットを向上させることができ、優れたシステム性能を取得することができる。
【００７７】
以上は、本発明の好ましい実施形態に過ぎない。なお、当該分野の一般技術者にとって、本発明の原理を背離しない前提で、若干の改進や修飾が考えられる。ただし、これらの改進や修飾も本発明の保護範囲にあることが理解されよう。
【図１】
2011239391.tif 000004
【図２】
2011239391.tif 000005
【図３】
2011239391.tif 000006
【図４】
2011239391.tif 000007
【図５】
2011239391.tif 000008
【図６】
2011239391.tif 000009
【図７】
2011239391.tif 000010
【図８】
2011239391.tif 000011